(57)【特許請求の範囲】
【請求項１】
電気接続箱の箱本体内で電気接続箱側コネクタに接続される電子ユニット側コネクタがユニットケース内に設けられてなる電子ユニットと電気接続箱との組み付け構造において、
前記電子ユニット側コネクタが前記電気接続箱側コネクタに対して垂直方向に移動されて嵌合されるように前記箱本体内への前記電子ユニットの垂直方向での移動をガイドし、かつ前記電子ユニット側コネクタが設けられた回路基板を垂直移動完了位置に残して前記ユニットケースが水平方向に移動されるようにガイドする移動ガイド部と、
前記電子ユニットと前記電気接続箱との組み付けの際、前記移動ガイド部のガイドによる前記ユニットケースの水平移動完了位置で前記ユニットケースを前記箱本体に固定するロック部と、
を有してなることを特徴とする電子ユニットと電気接続箱との組み付け構造。
【請求項２】
前記ユニットケースは、
矩形状の天井壁と、該天井壁の縁に立設されてなる周側壁とを有してなる箱型形状をなし、
前記電気接続箱は、
前記ユニットケースの周側壁を囲うようにして形成されてなる囲い壁を有し、かつ上部開口から内部に前記電子ユニットが収容されるユニット収容部を有してなり、
前記移動ガイド部は、
前記周側壁のうち前記ユニットケースの水平移動方向に平行に並ぶ一対の周側壁の各周側壁の外面に突設され、垂直方向に延びる垂直延在縁面と、該垂直延在縁面の端から水平方向に延びる水平延在縁面とを有し、前記水平延在縁面の水平方向の幅が垂直移動のためのガイド幅となり、前記垂直延在縁面の垂直方向の幅が水平移動のためのガイド幅となる第一ユニット側ガイド部と、
前記回路基板が前記ユニットケース内で水平移動可能に保持される第二ユニット側ガイド部と、
前記ユニット収容部の上部開口の上縁から下方に向けて前記水平延在縁面の水平方向の幅より僅かに大きい幅で向かい合う垂直壁面を有し、前記第一ユニット側ガイド部が該向かい合う垂直壁面の間で垂直移動される垂直方向ガイド部と、前記垂直延在縁面の垂直方向の幅より僅かに大きい幅で向かい合う水平壁面を有し、前記第一ユニット側ガイド部が該向かい合う水平壁面の間で水平移動される水平方向ガイド部と、を有してなる電気接続箱側ガイド部と、
を有してなることを特徴とする請求項１に記載の電子ユニットと電気接続箱との組み付け構造。
【請求項３】
前記水平方向ガイド部は、
前記第一ユニット側ガイド部が前記向かい合う水平壁面の間に圧入されて水平移動完了位置で係止されるように、前記向かい合う水平壁面のすくなくとも一方の水平壁面に弾性変形可能に突設されてなる弾性係止部
を有してなることを特徴とする請求項２に記載の電子ユニットと電気接続箱との組み付け構造。
【請求項４】
前記第一ユニット側ガイド部は、
前記各周側壁の外面に水平方向に並んで複数箇所に配置されてなることを特徴とする請求項２または３に記載の電子ユニットと電気接続箱との組み付け構造。
【請求項５】
前記第一ユニット側ガイド部は、
垂直方向に直線状に延びる片状をなし、前記垂直延在縁面が形成されてなる垂直直線状片部と、水平方向に直線状に延びる片状をなし、前記水平延在縁面が形成されてなる水平直線状片部とを有する略Ｌ字状に形成されてなることを特徴とする請求項２、３または４に記載の電子ユニットと電気接続箱との組み付け構造。
【請求項６】
前記電子ユニットは、
垂直移動される際、前記電子ユニット側コネクタが前記電気接続箱側コネクタに嵌合されるように前記回路基板を前記ユニットケース内の所定位置に固定させる第一固定部と、
前記ユニットケースが水平移動完了された際、前記回路基板を前記ユニットケース内の所定位置に固定させる第二固定部と、
を有してなることを特徴とする請求項１、２、３、４または５に記載の電子ユニットと電気接続箱との組み付け構造。
【発明の詳細な説明】
【技術分野】
【０００１】
本発明は、電子ユニットが電気接続箱とは別体とされ、電気接続箱の本体内でコネクタを介して電気的に接続される電子ユニットと電気接続箱との組み付け構造に関する。
【背景技術】
【０００２】
従来、ヒューズ、リレー等の電子部品が内蔵され、それら電子部品を介して複数の電装品と電源とを接続させる電気接続箱には、ユニットケース内に電子部品が収容された電子ユニットが電気接続箱とは別体とされ、電気接続箱の本体内でコネクタを介して電気的に接続されるものがある。
【０００３】
電子ユニットが電気接続箱とは別体とされた電子ユニットと電気接続箱との組み付け構造としては、電気接続箱の本体内に電子ユニットが垂直方向に移動して組み付けられることによって、電気接続箱側のコネクタと電子ユニット側のコネクタとが嵌合されるものがある。このような電子ユニットと電気接続箱との組み付け構造は、電子ユニットと電気接続箱とをガタツキなく固定させるため、ロック部が複数箇所に設けられる必要があり、固定状態の確認作業が煩雑となる。
しかも、電気接続箱側のコネクタと電子ユニット側のコネクタとが嵌合される際、すなわち、電気接続箱の本体内に電子ユニットが垂直方向に移動される際、ロック部によって電子ユニットと電気接続部とが固定される必要があるため、電気接続箱側のコネクタと電子ユニット側のコネクタとを嵌合させる力が大きくなってしまう。
【０００４】
そこで、電気接続箱と電子ユニットとが別体とされる場合、電子ユニットと電気接続箱との組み付け性を向上させることが重要となる。例えば、特許文献１には、電気接続箱に設けられた支軸を中心として電子ユニットが回動されることによって、電気接続箱側のコネクタと、電子ユニット側のコネクタとが嵌合される電子ユニットと電気接続箱との組み付け構造が提案されている。
【０００５】
特許文献１に記載された電子ユニットと電気接続箱との組み付け構造は、支軸の軸方向に直交する方向、かつ支軸から離れた位置に、電子ユニットと電気接続部とを固定させるロック部が一箇所だけ設けられ、このロック部と支軸とによって、電子ユニットがガタツキを抑えて固定され、電子ユニットと電気接続箱との電気的接続が保証されるようになっている。このような電子ユニットと電気接続箱との組み付け構造は、ロック部の数を少なくすることができるので、電子ユニットと電気接続箱との固定状態の確認作業が容易となる。しかも、梃子の原理を利用して電気接続箱側のコネクタと、電子ユニット側のコネクタとが嵌合されるので、嵌合の際にかかる力を小さく抑えることができる。
【先行技術文献】
【特許文献】
【０００６】
【特許文献１】特開２００８−１７２８９３号公報
【発明の概要】
【発明が解決しようとする課題】
【０００７】
しかしながら、特許文献１に記載された電子ユニットと電気接続箱との組み付け構造は、支軸からコネクタまでの距離が所定以上確保されないと、電子ユニット側のコネクタが電気接続箱側のコネクタに対して垂直方向に移動されながら嵌合されることが難しくなるため、小型化することが難しいという問題があった。
【０００８】
本発明は、上記に鑑みてなされたものであって、小型化に対応でき、かつ容易に電子ユニットと電気接続箱とを組み付けることができる電子ユニットと電気接続箱との組み付け構造を提供することを目的とする。
【課題を解決するための手段】
【０００９】
上述した課題を解決し、目的を達成するために、本発明の請求項１に係る電子ユニットと電気接続箱との組み付け構造は、電気接続箱の箱本体内で電気接続箱側コネクタに接続される電子ユニット側コネクタがユニットケース内に設けられてなる電子ユニットと電気接続箱との組み付け構造において、前記電子ユニット側コネクタが前記電気接続箱側コネクタに対して垂直方向に移動されて嵌合されるように前記箱本体内への前記電子ユニットの垂直方向での移動をガイドし、かつ前記電子ユニット側コネクタが設けられた回路基板を垂直移動完了位置に残して前記ユニットケースが水平方向に移動されるようにガイドする移動ガイド部と、前記電子ユニットと前記電気接続箱との組み付けの際、前記移動ガイド部のガイドによる前記ユニットケースの水平移動完了位置で前記ユニットケースを前記箱本体に固定するロック部と、を有してなることを特徴とする。
【００１０】
また、本発明の請求項２に係る電子ユニットと電気接続箱との組み付け構造は、上記の発明において、前記ユニットケースは、矩形状の天井壁と、該天井壁の縁に立設されてなる周側壁とを有してなる箱型形状をなし、前記電気接続箱は、前記ユニットケースの周側壁を囲うようにして形成されてなる囲い壁を有し、かつ上部開口から内部に前記電子ユニットが収容されるユニット収容部を有してなり、前記移動ガイド部は、前記周側壁のうち前記ユニットケースの水平移動方向に平行に並ぶ一対の周側壁の各周側壁の外面に突設され、垂直方向に延びる垂直延在縁面と、該垂直延在縁面の端から水平方向に延びる水平延在縁面とを有し、前記水平延在縁面の水平方向の幅が垂直移動のためのガイド幅となり、前記垂直延在縁面の垂直方向の幅が水平移動のためのガイド幅となる第一ユニット側ガイド部と、前記回路基板が前記ユニットケース内で水平移動可能に保持される第二ユニット側ガイド部と、前記ユニット収容部の上部開口の上縁から下方に向けて前記水平延在縁面の水平方向の幅より僅かに大きい幅で向かい合う垂直壁面を有し、前記第一ユニット側ガイド部が該向かい合う垂直壁面の間で垂直移動される垂直方向ガイド部と、前記垂直延在縁面の垂直方向の幅より僅かに大きい幅で向かい合う水平壁面を有し、前記第一ユニット側ガイド部が該向かい合う水平壁面の間で水平移動される水平方向ガイド部と、を有してなる電気接続箱側ガイド部と、を有してなることを特徴とする。
【００１１】
また、本発明の請求項３に係る電子ユニットと電気接続箱との組み付け構造は、上記の発明において、前記水平方向ガイド部は、前記第一ユニット側ガイド部が前記向かい合う水平壁面の間に圧入されて水平移動完了位置で係止されるように、前記向かい合う水平壁面のすくなくとも一方の水平壁面に弾性変形可能に突設されてなる弾性係止部を有してなることを特徴とする。
【００１２】
また、本発明の請求項４に係る電子ユニットと電気接続箱との組み付け構造は、上記の発明において、前記第一ユニット側ガイド部は、前記各周側壁の外面に水平方向に並んで複数箇所に配置されてなることを特徴とする。
【００１３】
また、本発明の請求項５に係る電子ユニットと電気接続箱との組み付け構造は、上記の発明において、前記第一ユニット側ガイド部は、垂直方向に直線状に延びる片状をなし、前記垂直延在縁面が形成されてなる垂直直線状片部と、水平方向に直線状に延びる片状をなし、前記水平延在縁面が形成されてなる水平直線状片部とを有する略Ｌ字状に形成されてなることを特徴とする。
【００１４】
また、本発明の請求項６に係る電子ユニットと電気接続箱との組み付け構造は、上記の発明において、前記電子ユニットは、垂直移動される際、前記電子ユニット側コネクタが前記電気接続箱側コネクタに嵌合されるように前記回路基板を前記ユニットケース内の所定位置に固定させる第一固定部と、前記ユニットケースが水平移動完了された際、前記回路基板を前記ユニットケース内の所定位置に固定させる第二固定部と、を有してなることを特徴とする。
【発明の効果】
【００１５】
本発明の請求項１に係る電子ユニットと電気接続箱との組み付け構造は、前記電子ユニットが前記電気接続箱に対して垂直方向に移動されて前記電気接続箱側コネクタと前記電子ユニット側コネクタとが嵌合されるので、梃子の原理を利用して電子ユニットと電気接続箱とを組み付ける構造に比べて小型化でき、前記電気接続箱側コネクタと前記電子ユニット側コネクタとの嵌合がされることによって、前記ユニットケースが水平移動できるようになっているため、水平移動完了位置で前記ユニットケースを前記箱本体に固定させれば前記電子ユニットと前記電気接続箱との電気的接続が保証され、前記ロック部の数を少なく抑えることができるので、固定状態の確認作業が容易になり、かつ前記電気接続箱側コネクタと前記電子ユニット側コネクタとを嵌合させる力を小さく抑えることができ、結果的に、小型化に対応でき、かつ容易に電子ユニットと電気接続箱とを組み付けることができる。
【００１６】
本発明の請求項２に係る電子ユニットと電気接続箱との組み付け構造は、前記移動ガイド部が水平延在縁面の水平方向の幅が垂直移動のためのガイド幅として利用され、前記垂直延在縁面の垂直方向の幅が水平移動のためのガイド幅として利用されるので、容易に小型化することができる。
【００１７】
本発明の請求項３に係る電子ユニットと電気接続箱との組み付け構造は、前記弾性係止部によって、前記第一ユニット側ガイド部が前記向かい合う水平壁面の間に圧入されて水平移動完了位置で係止されるので、前記ユニットケースのガタツキを抑えることができる。
【００１８】
本発明の請求項４に係る電子ユニットと電気接続箱との組み付け構造は、前記第一ユニット側ガイド部が前記各周側壁の外面に水平方向に並んで複数箇所に配置されてなるので、前記ユニットケースを垂直移動させる際、前記天井壁を均等に押し圧することができ、前記ユニットケースの傾きが防止され、結果的に容易に電子ユニットと電気接続箱とを組み付けることができる。
【００１９】
本発明の請求項５に係る電子ユニットと電気接続箱との組み付け構造は、前記第一ユニット側ガイド部が垂直方向に直線状に延びる片状をなし、前記垂直延在縁面が形成されてなる垂直直線状片部と、水平方向に直線状に延びる片状をなし、前記水平延在縁面が形成されてなる水平直線状片部とを有する略Ｌ字状に形成されてなるので、Ｌ字の内側領域を有効に利用することができ、容易に小型化することができる。
【００２０】
本発明の請求項６に係る電子ユニットと電気接続箱との組み付け構造は、前記電子ユニットが垂直移動される際、前記電子ユニット側コネクタが前記電気接続箱側コネクタに嵌合されるように前記回路基板を前記ユニットケース内の所定位置に固定させる第一固定部と、前記ユニットケースが水平移動完了された際、前記回路基板を前記ユニットケース内の所定位置に固定させる第二固定部と、を有してなるので、前記回路基板のガタツキを抑えることができる。
【図面の簡単な説明】
【００２１】
【図１】図１は、本発明の実施例に係る電子ユニットと電気接続箱との組み付け構造の分解斜視図である。
【図２】図２は、図１に示した電子ユニットと電気接続箱との組み付け構造の斜視図である。
【図３】図３は、図２に示した電気接続箱と電子ユニットとの組み付け構造のロック部周辺の断面図である。
【図４】図４は、図１に示した電子ユニットの拡大斜視図である。
【図５】図５は、図１に示した電子ユニットの側面図である。
【図６】図６は、図５に示した電子ユニットのＡ−Ａ線断面図であり、ユニットケースが水平移動される前の状態を上図に示し、ユニットケースが水平移動された後の状態を下図に示す図である。
【図７】図７は、図５に示した電子ユニットのＢ−Ｂ線断面図である。
【図８】図８は、図１に示した電気接続箱の斜視図である。
【図９】図９は、図８に示した電気接続箱を図８中の矢印方向から視た移動ガイド部の周辺を示した図である。
【図１０】図１０は、本発明の実施例に係る電子ユニットと電気接続箱との組み付け構造１の組み付け手順を示した図である。
【図１１】図１１は、本発明の実施例に係る電子ユニットと電気接続箱との組み付け構造１の組み付け手順を示した図である。
【図１２】図１２は、電子ユニットが垂直移動によってユニット収容部内に完全に差し込まれた状態を上方から視た図である。
【図１３】図１３は、電子ユニットの垂直移動に伴う移動ガイド部周辺の動きを説明するための図である。
【図１４】図１４は、ユニットケースの水平移動に伴う移動ガイド部周辺の動きを説明するための図である。
【図１５】図１５は、本発明の実施例に係る電子ユニットと電気接続箱との組み付け構造の変形例１の電子ユニットと電気接続箱との組み付け構造の移動ガイド部周辺を示した図である。
【図１６】図１６は、本発明の実施例に係る電子ユニットと電気接続箱との組み付け構造の変形例２の電子ユニットと電気接続箱との組み付け構造の移動ガイド部周辺を示した図である。
【発明を実施するための形態】
【００２２】
以下、図面を参照して、本発明に係る電子ユニットと電気接続箱との組み付け構造の好適な実施例を詳細に説明する。
【実施例１】
【００２３】
図１は、本発明の実施例に係る電子ユニットと電気接続箱との組み付け構造１の分解斜視図である。図２は、図１に示した電子ユニットと電気接続箱との組み付け構造１の斜視図である。図３は、図２に示した電気接続箱と電子ユニットとの組み付け構造１のロック部７０周辺の断面図である。図４は、図１に示した電子ユニット１０の拡大斜視図である、図５は、図１に示した電子ユニット１０の側面図である。図６は、図５に示した電子ユニット１０のＡ−Ａ線断面図であり、ユニットケース２０が水平移動される前の状態を上図に示し、ユニットケース２０が水平移動された後の状態を下図に示す図である。図７は、図５に示した電子ユニット１０のＢ−Ｂ線断面図である。図８は、図１に示した電気接続箱３０の斜視図である。図９は、図８に示した電気接続箱を３０図８中の矢印方向から視た移動ガイド部１００の周辺を示した図である。
なお、図９中には、第一ユニット側ガイド部２３が追加して示されている。
本発明の実施例に係る電子ユニットと電気接続箱との組み付け構造１は、例えば、車輌に搭載される電子ユニットと電気接続箱との組み付け構造１であり、電気接続箱３０の箱本体３１内で電気接続箱側コネクタ３２に接続される電子ユニット側コネクタ１１がユニットケース２０内に設けられてなる。
【００２４】
まず、電子ユニット１０について説明する。
電子ユニット１０は、例えば、車載電子制御装置であり、車載電装品の電源等の制御を行うものである。この電子ユニット１０は、電気接続箱の本体内で電気接続箱側コネクタに接続される電子ユニット側コネクタ１１がユニットケース２０内に設けられてなる。電子ユニット側コネクタ１１は、雌型コネクタであり、雄型コネクタである電気接続箱側コネクタと嵌合されることによって、電子ユニット１０と電気接続箱とが電気的に接続されるようになっている。
【００２５】
ユニットケース２０は、矩形状の天井壁２１と、天井壁２１の縁に立設されてなる周側壁２２とを有してなる箱型形状をなし、内部に電子ユニット側コネクタ１１、および外部接続コネクタ１３が設けられた回路基板１２が収容されてなる。
周側壁２２は、ユニットケース２０の水平移動方向に直交する側の壁にコネクタ用開口部２２ｄが形成されてなる。このコネクタ用開口部２２ｄは、外部接続コネクタ１３の外形に対応し、外部接続コネクタ１３の端部がユニットケース２０内から外部に向けて挿通可能に形成されてなる開口である。
【００２６】
また、ユニットケース２０は、移動ガイド部１００としての第一ユニット側ガイド部２３と、第二ユニット側ガイド部２６と、第三ユニットガイド部２７とを有してなる。
第一ユニット側ガイド部２３は、周側壁２２のうちユニットケース２０の水平移動方向に平行に並ぶ一対の周側壁２２ａ（以下、「水平方向周側壁」という。）の各周側壁２２ａの外面２２ｂに突設され、垂直方向に延びる垂直延在縁面２４ａと、垂直延在縁面２４ａの端２４ｂから水平方向に延びる水平延在縁面２５ａとを有してなる。
より具体的には、第一ユニット側ガイド部２３は、垂直方向に直線状に延びる片状をなし、垂直延在縁面２４ａが形成されてなる垂直直線状片部２４と、水平方向に直線状に延びる片状をなし、水平延在縁面２５ａが形成されてなる水平直線状片部２５とを有する略Ｌ字状に形成されてなる。
このような第一ユニット側ガイド部２３は、水平延在縁面２５ａの水平方向の幅Ｗ１が垂直移動のためのガイド幅となり、垂直延在縁面２４ａの垂直方向の幅Ｗ２が水平移動のためのガイド幅となる。
【００２７】
なお、この実施例の第一ユニット側ガイド部２３は、各水平方向周側壁２２ａの外面２２ｂに対で設けられている。このような一対の第一ユニット側ガイド部２３は、水平直線状片部２５の端２５ｃが間隔を空けて向かい合わせるようにして配置されている。
【００２８】
第二ユニット側ガイド部２６は、回路基板１２がユニットケース２０内で水平移動可能に保持されるようにガイドとして機能されるものである。
この第二ユニット側ガイド部２６は、図７に示すように、ユニットケース２０の各水平方向周側壁２２ａの内面２２ｃに水平方向に沿って直線状に形成された一対のリブ状突起２６ａからなる。各周側壁２２ａの一対のリブ状突起２６ａによって回路基板１２の両端部１２ａが水平移動可能に保持されるようになっている。
【００２９】
なお、回路基板１２は、プリント配線板である。この回路基板１２には、電子ユニット側コネクタ１１の他、電子ユニット１０が外部との接続を行なうための外部接続コネクタ１３が設けられている。
【００３０】
第三ユニットガイド部２７は、ユニットケース２０の水平移動方向に直交する周側壁２２ａの両側部に設けられ、周側壁２２ａの上部から下部に向けて直線状に突設された一対のガイドリブである。第三ユニットガイド部２７は、後述する補助電気接続箱側ガイド部６０内に嵌入されることによって電子ユニット１０の垂直移動をガイドするようになっている。
【００３１】
また、電子ユニット１０は、垂直移動される際、電子ユニット側コネクタ１１が電気接続箱側コネクタ３２に嵌合されるように回路基板１２をユニットケース２０内の所定位置に固定させる第一固定部１４と、ユニットケース２０が水平移動完了された際、回路基板１２をユニットケース２０内の所定位置に固定させる第二固定部１５と、を有してなる。
【００３２】
第一固定部１４は、第一ユニットケース側固定部１４ａ、および第一回路基板側固定部１４ｂを有してなる。
第一ユニットケース側固定部１４ａは、各水平方向周側壁２２ａの内面２２ｃから半球状に突起された一対の弾性突起であり、回路基板１２を間に挟むようになっている。
第一回路基板側固定部１４ｂは、回路基板１２の両端部１２ａに形成された一対の半円状の切り欠きであり、第一ユニットケース側固定部１４ａが嵌るようになっている。
このような、第一ユニットケース側固定部１４ａが第一回路基板側固定部１４ｂに嵌ることによって回路基板１２がユニットケース２０内の所定位置に固定されるようになっている。
【００３３】
第二固定部１５は、第二ユニットケース側固定部１５ａ、および第二回路基板側固定部１５ｂを有してなる。
第二ユニットケース側固定部１５ａは、各水平方向周側壁２２ａの内面２２ｃから半球状に突起された一対の弾性突起であり、回路基板１２を間に挟むようになっている。
第二回路基板側固定部１５ｂは、回路基板１２の両端部１２ａに形成された一対の半円状の切り欠きであり、第二ユニットケース側固定部１５ａが嵌るようになっている。
このような第二ユニットケース側固定部１５ａが第二回路基板側固定部１５ｂに嵌ることによって回路基板１２がユニットケース２０内の所定位置に固定されるようになっている。
【００３４】
なお、この実施例の電子ユニット１０は、第一固定部１４および第二固定部１５を有してなるものを例示したが、これに限らず、電子ユニット１０は、第一固定部１４および第二固定部１５を有しない構成であっても構わない。この場合、電子ユニット１０を垂直移動させる前に、回路基板１２を第二ユニット側ガイド部２６によって水平方向の所定位置に移動させておく。
【００３５】
さらにまた、ユニットケース２０は、電子ユニット１０と電気接続箱との組み付けの際、移動ガイド部１００のガイドによるユニットケース２０の水平移動完了位置でユニットケース２０を電気接続箱３０の箱本体３１に固定するロック部７０として機能する係合孔部２１ａを有してなる。
この係合孔部２１ａは、ユニットケース２０の天井壁２１に形成された貫通孔であり、電気接続箱３０に設けられた後述する弾性係合片部７１の係合突起部７１ｂがはめ込まれるようになっている。
【００３６】
次に、電気接続箱３０について説明する。
電気接続箱３０は、不図示のヒューズ、リレー等の電子部品が内蔵される箱本体３１に含まれる部分であり、電子ユニット１０が収容されるユニット収容部４０を有してなる。
【００３７】
ユニット収容部４０は、図８に示すように、ユニットケース２０の周側壁２２を囲うようにして形成されてなる囲い壁４１を有し、かつ上部開口４０ａから内部に電子ユニット１０が収容されるものである。
このようなユニット収容部４０の内部には、電子ユニット側コネクタ１１と嵌合される電気接続箱側コネクタ３２が設けられている。
【００３８】
また、ユニット収容部４０は、移動ガイド部１００としての電気接続箱側ガイド部５０および補助電気接続箱側ガイド部６０を有してなる。
電気接続箱側ガイド部５０は、垂直方向ガイド部５１と、水平方向ガイド部５２とを有してなる。この電気接続箱側ガイド部５０は、一対の第一ユニット側ガイド部２３の各第一ユニット側ガイド部２３に対応して設けられている。
垂直方向ガイド部５１は、ユニット収容部４０の上部開口４０ａの上縁４１ａから下方に向けて水平延在縁面２５ａの水平方向の幅Ｗ１より僅かに大きい幅で向かい合う垂直壁面５１ａを有し、第一ユニット側ガイド部２３が一対の垂直壁面５１ａの間で垂直移動されるようになっている。
【００３９】
水平方向ガイド部５２は、垂直延在縁面２４ａの垂直方向の幅Ｗ２より僅かに大きい幅で向かい合う水平壁面５２ａを有し、第一ユニット側ガイド部２３が向かい合う水平壁面５２ａの間で水平移動されるようになっている。
また、水平方向ガイド部５２は、第一ユニット側ガイド部２６が向かい合う水平壁面５２ａの間に圧入されて水平移動完了位置で係止されるように、上側の水平壁面５２ａに弾性変形可能に突設されてなる弾性係止部５２ｂを有してなる。
【００４０】
補助電気接続箱側ガイド部６０は、電子ユニット１０の垂直移動をガイドするものである。この補助電気接続箱側ガイド部６０は、囲い壁４１のうちユニットケース２０の水平移動方向に直交する囲い壁４１の両側部４１ｂに配置され、第三ユニットガイド部２７が嵌入されるように、垂直方向に直交する断面形状がコの字状をなし、かつ上部開口４０ａの上縁４１ａから下方に向けて延びるように形成されている。
【００４１】
また、電気接続箱３０は、電子ユニット１０と電気接続箱３０との組み付けの際、移動ガイド部１００のガイドによるユニットケース２０の水平移動完了位置でユニットケース２０を電気接続箱３０の箱本体３１に固定するロック部７０として機能する弾性係合片部７１を有してなる。
この弾性係合片部７０ａは、囲い壁７１の上縁７１ａから水平方向に片状に延びる弾性片部７１ａ、および弾性片部７１ａの延在端で下方に向けて突設された係合突起部７１ｂを有してなる。
【００４２】
ここで、図１０−図１４を用いて本発明の実施例に係る電子ユニット１０と電気接続箱３０との組み付け構造の組み付け手順を示す。図１０および図１１は、本発明の実施例に係る電子ユニットと電気接続箱との組み付け構造１の組み付け手順を示した図である。図１２は、電子ユニット１０が垂直移動によってユニット収容部４０内に完全に差し込まれた状態を上方から視た図である。図１３は、電子ユニット１０の垂直移動に伴う移動ガイド部１００周辺の動きを説明するための図である。図１４は、ユニットケース２０の水平移動に伴う移動ガイド部１００周辺の動きを説明するための図である。
まず、作業者は、電気接続箱３０のユニット収容部４０の上部開口４０ａから垂直方向下方に電子ユニット１０を差し込む（図１０（ａ）参照）。この際、第一ユニット側ガイド部２３が、垂直方向ガイド部５１によって垂直移動をガイドされ、第三ユニット側ガイド部２７が、補助電気接続箱側ガイド部６０によって垂直移動をガイドされる。
これにより、電子ユニット側コネクタ１１が電気接続側コネクタ３２の上方から垂直方向に移動されながら嵌合される。しかも、図１２に示すように、ユニットケース２０の各水平方向周側壁２２ａの複数個所に設けられた移動ガイド部１００によって垂直方向に対して傾かないようにして移動される。
【００４３】
その後、作業者は、電子ユニット側コネクタ１１と電気接続側コネクタ３２との嵌合位置の天井面２１を押す（図１０（ｂ）参照）。これによってコネクタ嵌合が確実になされる。このように電子ユニット１０が垂直移動されてユニット収容部４０内に完全に差し込まれると、すなわち電子ユニット側コネクタ１１と電気接続箱側コネクタ３２とが完全に嵌合されると、第一ユニット側ガイド部２３が水平方向ガイド部５２によってガイドされながら水平移動できる状態になる（図１３参照）。
【００４４】
その後、作業者は、ユニットケース２０を水平方向に移動させる（図１１（ｃ）参照）。作業者が、ユニットケース２０に対して水平移動されるように外力を負荷させると、第一固定部１４によるユニットケース２０と回路基板１２との固定が解除され、電子ユニット側コネクタ１１が設けられた回路基板１２を垂直移動完了位置に残して、すなわち、電子ユニット側コネクタ１１と電気接続箱側コネクタ３２とが嵌合された位置に回路基板１２を残して、ユニットケース２０が水平方向に移動開始される（図１４（ｃ）参照）。
【００４５】
その後、作業者は、ユニットケース２０を水平移動完了位置まで移動させ、ロック部７０によってユニットケース２０を電気接続箱３０に固定させる（図１１（ｄ）、図１４（ｄ）参照）。ユニットケース２０が水平移動されて水平移動完了位置に近づくと、ユニットケース２０が係合突起部７１ｂに当接され、係合突起部７１ｂが弾性片部７１ａによって下方に付勢された状態でユニットケース２０がさらに水平移動される。その後、ユニットケース２０が水平移動完了位置まで移動されると、係合突起部７１ｂが係合孔部２１ａに嵌るようになっている。  また、各第一ユニット側ガイド部２３は、水平移動完了位置にて弾性係止部５２ｂによって固定され、回路基板１２は、ユニットケース２０が水平移動完了位置まで移動されると、第二固定部１５によって固定される。
【００４６】
本発明の実施例に係る電子ユニットと電気接続箱との組み付け構造１は、電子ユニット１が電気接続箱３０に対して垂直方向に移動されて電気接続箱側コネクタ３２と電子ユニット側コネクタ１１とが嵌合されるので、梃子の原理を利用して電子ユニット１０と電気接続箱３０とを組み付ける構造に比べて小型化でき、電気接続箱側コネクタ３２と電子ユニット側コネクタ１１との嵌合がされることによって、ユニットケース２０が水平移動できるようになっているため、水平移動完了位置でユニットケース２０を箱本体３１に固定させれば電子ユニット１０と電気接続箱３０との電気的接続が保証され、ロック部７０の数を少なく抑えることができるので、固定状態の確認作業が容易になり、かつ電気接続箱側コネクタ３２と電子ユニット側コネクタ１１とを嵌合させる力を小さく抑えることができ、結果的に、小型化に対応でき、かつ容易に電子ユニット１０と電気接続箱３０とを組み付けることができる。
【００４７】
また、本発明の実施例に係る電子ユニットと電気接続箱との組み付け構造１は、移動ガイド部１００が水平延在縁面２５ａの水平方向の幅Ｗ１が垂直移動のためのガイド幅として利用され、垂直延在縁面２４ａの垂直方向の幅Ｗ２が水平移動のためのガイド幅として利用されるので、容易に小型化することができる。
【００４８】
また、本発明の実施例に係る電子ユニットと電気接続箱との組み付け構造１は、弾性係止部５２ｂによって、第一ユニット側ガイド部２３が向かい合う水平壁面５２ａの間に圧入されて水平移動完了位置で係止されるので、ユニットケース２０のガタツキを抑えることができる。
【００４９】
また、本発明の実施例に係る電子ユニットと電気接続箱との組み付け構造１は、第一ユニット側ガイド部２３が各水平方向周側壁２２ａの外面２２ｂに水平方向に並んで複数箇所に配置されてなるので、ユニットケース２０を垂直移動させる際、天井壁２１を均等に押し圧することができ、ユニットケース２０の傾きが防止され、結果的に容易に電子ユニット１０と電気接続箱３０とを組み付けることができる。
【００５０】
また、本発明の実施例に係る電子ユニットと電気接続箱との組み付け構造１は、第一ユニット側ガイド部２３が略Ｌ字状に形成されてなるので、Ｌ字の内側領域を有効に利用することができ、容易に小型化することができる。
【００５１】
また、本発明の実施例に係る電子ユニットと電気接続箱との組み付け構造１は、電子ユニット１０が垂直移動される際、電子ユニット側コネクタ１１が電気接続箱側コネクタ３２に嵌合されるように回路基板１２をユニットケース２０内の所定位置に固定させる第一固定部１４と、ユニットケース２０が水平移動完了された際、回路基板１２をユニットケース２０内の所定位置に固定させる第二固定部１５と、を有してなるので、回路基板１２のガタツキを抑えることができる。  
【００５２】
（変形例１）
次に、図１５を用いて、本発明の実施例に係る電子ユニットと電気接続箱との組み付け構造１の変形例１の電子ユニットと電気接続箱との組み付け構造２について説明する。図１５は、本発明の実施例に係る電子ユニットと電気接続箱との組み付け構造１の変形例１の電子ユニットと電気接続箱との組み付け構造２の移動ガイド部２００周辺を示した図である。
【００５３】
本発明の実施例に係る電子ユニットと電気接続箱との組み付け構造１は、一対の第一ユニット側ガイド部２３が各水平方向周側壁２２ａの外面２２ｂに設けられているものを例示したが、この変形例１の電子ユニットと電気接続箱との組み付け構造２は、一つの第一ユニット側ガイド部２３が各水平方向周側壁２２ａの外面２２ｂに設けられている点で実施例の電子ユニットと電気接続箱との組み付け構造１と異なる。
なお、その他の構成は実施例と同様であり、実施例と同一構成部分には同一符号を付している。
【００５４】
この変形例１の電子ユニットと電気接続箱との組み付け構造２は、実施例の電子ユニットと電気接続箱との組み付け構造１と同様に、小型化に対応でき、かつ容易に電子ユニット１０と電気接続箱３０とを組み付けることができる。
【００５５】
（変形例２）
次に、図１６を用いて、本発明の実施例に係る電子ユニットと電気接続箱との組み付け構造の変形例２の電子ユニットと電気接続箱との組み付け構造３について説明する。図１６は、本発明の実施例に係る電子ユニットと電気接続箱との組み付け構造の変形例２の電子ユニットと電気接続箱との組み付け構造３の移動ガイド部３００周辺を示した図である。
【００５６】
本発明の実施例に係る電子ユニットと電気接続箱との組み付け構造１は、第一ユニット側ガイド部２３が略Ｌ字状に形成されてなるものを例示したが、この変形例２の電子ユニットと電気接続箱との組み付け構造３は、第一ユニットガイド部２１０が略直方体に形成されてなる点で実施例の電子ユニットと電気接続箱との組み付け構造と異なる。
なお、その他の構成は実施例と同様であり、実施例と同一構成部分には同一符号を付している。
【００５７】
第一ユニットガイド部２１０は、ユニットケース２０の各水平方向周側壁２２ａの外面２２ｂに突設され、垂直方向に延びる垂直延在縁面２１０ａと、垂直延在縁面２１０ａの端２１０ｂに水平方向に延びるようにして繋がる水平延在縁面２２０ａとを有し、垂直延在縁面２１０ａの垂直方向の幅Ｗ２が垂直方向の幅とされ、水平延在縁面２２０ａの水平方向の幅Ｗ１が水平方向の幅とされる。
【００５８】
この変形例２の電子ユニットと電気接続箱との組み付け構造３は、実施例の電子ユニットと電気接続箱との組み付け構造１と同様に、小型化に対応でき、かつ容易に電子ユニット１０と電気接続箱３０とを組み付けることができる。
【００５９】
なお、本発明の実施例に係る電子ユニットと電気接続箱との組み付け構造１，２，３は、電子ユニット側コネクタ１１が雌型コネクタであり、電気接続箱側コネクタ３２が雄型コネクタであるものを例示したが、これに限らず、電子ユニット側コネクタ１１が雄型コネクタであり、電気接続箱側コネクタ３２が雌型コネクタであっても構わない。
【００６０】
また、本発明の実施例に係る電子ユニットと電気接続箱との組み付け構造１，２，３は、弾性係止部５２ｂが上側の水平壁面５２ａに弾性変形可能に突設されてなるものを例示したが、これに限らず、第一ユニット側ガイド部２６が水平移動完了位置で係止されるようになっていればよい。例えば、変形例２の電子ユニットと電気接続箱との組み付け構造３の場合、弾性係止部５２ｂが上側の水平壁面５２ａに弾性変形可能に突設されるようにしてもよい。
【００６１】
また、本発明の実施例に係る電子ユニットと電気接続箱との組み付け構造１，２，３は、第三ユニット側ガイド部２７およぶ補助電気接続箱側ガイド部６０によって電子ユニット１０の垂直移動がガイドされるものを例示したが、これに限らず、第三ユニット側ガイド部２７および補助電気接続箱側ガイド部６０を有しない構成としても構わない。
【００６２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６３】
１、２、３  電子ユニットと電気接続箱との組み付け構造
１０        電子ユニット
１１        電子ユニット側コネクタ
１２        回路基板
１２ａ      端部
１３        外部接続コネクタ
１４        第一固定部
１４ａ      第一ユニットケース側固定部
１４ｂ      第一回路基板側固定部
１５        第二固定部
２０        ユニットケース
２１        天井壁
２１ａ      係合孔部
２２、２２ａ  周側壁
２２ｂ      外面
２２ｃ      内面
２２ｄ      コネクタ用開口部
２３、１１０、２１０  第一ユニット側ガイド部
２４        垂直直線状片部
２４ａ、２１０ａ  垂直延在縁面
２４ｂ、２１０ｂ  端
Ｗ２      垂直方向の幅
２５        水平直線状片部
２５ａ、２２０ａ  水平延在縁面
２５ｃ      端
Ｗ１        水平方向の幅
２６        第二ユニット側ガイド部
２６ａ      リブ状突起
２７        第三ユニット側ガイド部
３０        電気接続箱
３１        箱本体
３２        電気接続箱側コネクタ
４０        ユニット収容部
４０ａ      上部開口
４１        囲い壁
４１ａ      上縁
４１ｂ      側部
５０        電気接続箱側ガイド部
５１        垂直方向ガイド部
５１ａ      垂直壁面
５２        水平方向ガイド部
５２ａ      水平壁面
５２ｂ      弾性係止部
６０        補助電気接続箱側ガイド部
７０        ロック部
７１        弾性係合片部
７１ａ      弾性片部
７１ｂ      係合突起部
１００、２００、３００  移動ガイド部
【図１】
0005806140.tif 000002
【図２】
0005806140.tif 000003
【図３】
0005806140.tif 000004
【図４】
0005806140.tif 000005
【図５】
0005806140.tif 000006
【図６】
0005806140.tif 000007
【図７】
0005806140.tif 000008
【図８】
0005806140.tif 000009
【図９】
0005806140.tif 000010
【図１０】
0005806140.tif 000011
【図１１】
0005806140.tif 000012
【図１２】
0005806140.tif 000013
【図１３】
0005806140.tif 000014
【図１４】
0005806140.tif 000015
【図１５】
0005806140.tif 000016
【図１６】
0005806140.tif 000017